(57)【要約】【課題】グリッドとシンチレータの間隔を最小化することにより、放射線検知パネルから出力される画像の品質を向上させること、及び、このようにして得られた放射線検知パネルを用いた放射線画像撮影装置を実現すること。【解決手段】被写体を透過する際に散乱した放射線を吸収するグリッドの後方に配置され、前記グリッドを透過した放射線を受け蛍光を発するシンチレータ層を基板上に形成したシンチレータプレートにおいて、前記グリッドの一つの面を基板として前記シンチレータ層を形成したことを特徴とするシンチレータプレート。【選択図】図３
2009063475.tif 000002
【特許請求の範囲】
【請求項１】
被写体を透過する際に散乱した放射線を吸収するグリッドの後方に配置され、前記グリッドを透過した放射線を受け蛍光を発するシンチレータ層を基板上に形成したシンチレータプレートにおいて、
前記グリッドの一つの面を基板として前記シンチレータ層を形成したことを特徴とするシンチレータプレート。
【請求項２】
請求項１に記載のシンチレータプレートを有することを特徴とする放射線画像撮影装置。
【発明の詳細な説明】
【技術分野】
【０００１】
本発明は、基板上にＣｓＩ（ヨウ化セシウム）等のシンチレータ層を形成したシンチレータプレート、及び、このようなシンチレータプレートを用いた放射線画像撮影装置に関する。
【背景技術】
【０００２】
Ｘ線画像に代表される放射線画像は、従来から病気診断、非破壊検査等に広く用いられているものである。
【０００３】
最近では、被写体を透過した放射線を、放射線検知パネルにより検知して、得られたデジタル情報から放射線画像を得る放射線撮影システムも多用されている。
【０００４】
なお、上述の放射線検知パネルとは、放射線を受けて蛍光を発する蛍光体（シンチレータ）を有するプレート（シンチレータプレート）と、発光した蛍光を受光する受光素子を１枚のプレート上に２次元に配置した受光部とを重ねたものの呼称である。
【０００５】
この放射線検知パネルは、それに関わる制御基板等と共に一つの薄い箱形の収容器（カセッテ）に収められ、可搬型の放射線画像撮影装置とされることも一般的になっている。
【０００６】
通常、放射線検知パネルとの前面には、被写体によって散乱された放射線がそのまま放射線検知パネルのシンチレータに入射することによって発生する画像ぼけを防止するために、グリッドが設けられる。
【０００７】
グリッドとは、鉛のように放射線を透過しない吸収材とアルミニウムのように放射線をほとんど吸収しない透過材とを交互に並べた構造をしており、被写体を透過した放射線のうち、予め設計上決められる角度以上の角度を持ってグリッドに入射する放射線を除くことを目的とする公知の技術手段である。
【０００８】
既に述べたように、グリッドを透過した放射線はグリッドに近接して配置される放射線検知パネルのシンチレータに入射して、入射線量に比例した強さの蛍光が発光する。
【０００９】
発光した蛍光は、前記シンチレータに近接して配置される光電変換素子アレイによって受光され、各受光素子からは受光量に応じた大きさの電気的出力がなされる。
【００１０】
ところが、グリッドとシンチレータの間隔が大きいと、シンチレータの入射面にてグリッドの一つのセルを透過した放射線と隣接したセルを透過した放射線とが相互に入り交じる可能性が高くなり、それが画像ぼけの原因となる。
【００１１】
このような問題を解決するために、シンチレータと光電変換素子をグリッドの同一セル内に形成する提案もある（例えば、特許文献１参照。）。
【００１２】
しかしながら、このような構成のイメージングプレートの作成に際しては、技術上の困難が多く、コストも上昇させてしまう危険性がある。
【特許文献１】特開２００２−７１８１５号公報
【発明の開示】
【発明が解決しようとする課題】
【００１３】
本発明は、上述したような状況に鑑みてなされたもので、その目的は、グリッドとシンチレータの間隔を最小化することにより、放射線検知パネルから出力される画像の品質を向上させることと、このようにして得られた放射線検知パネルを用いた放射線画像撮影装置を実現することにある。
【課題を解決するための手段】
【００１４】
上記課題は、以下の発明を実現することにより達成される。
１．被写体を透過する際に散乱した放射線を吸収するグリッドの後方に配置され、前記グリッドを透過した放射線を受け蛍光を発するシンチレータ層を基板上に形成したシンチレータプレートにおいて、
前記グリッドの一つの面を基板として前記シンチレータ層を形成したことを特徴とするシンチレータプレート。
２．前記１に記載のシンチレータプレートを有することを特徴とする放射線画像撮影装置。
【発明の効果】
【００１５】
本発明により、放射線画像撮影装置により撮影される放射線画像の画像品質向上、特に画像ぼけの改善が実現される。
【発明を実施するための最良の形態】
【００１６】
以下、本発明の実施の形態例を図を基に説明する。
【００１７】
図１は、可搬型放射線画像撮影装置Ｄの概念図である。
【００１８】
可搬型放射線画像撮影装置Ｄは、上部外装部材１と下部外装部材２とからなるカセッテＫに、グリッド３、シンチレータプレート４、光電変換部５を主構成要素とする放射線検知パネルＰ、電源部ＰＳ、制御部Ｃ等を収容した装置である。
【００１９】
カセッテＫを構成する部材としては、収容物を保護するために充分な強度を有する必要があり、また、上部外装部材１は放射線の透過を妨げるものであってはならないことから、炭素繊維樹脂、アルミニウム合金等が採用される。
【００２０】
カセッテＫの表面と端面には、操作表示部６、コネクタ７が設けられている。
【００２１】
図２は、可搬型放射線画像撮影装置Ｄの内部構成を説明する図である。
【００２２】
上述したように、前記放射線検知パネルＰは、グリッド３、シンチレータプレート４、光電変換部５から構成される。
【００２３】
グリッド３は、被写体を透過し、図の矢印ａに方向から入射する放射線のうち、所定の入射角度範囲外の角度をもって入射する放射線を除くもので、被写体によって散乱した放射線がそのままシンチレータプレート４に入射することを防止する公知の手段である。
【００２４】
シンチレータプレート４は、グリッド３を経由して入射した放射線を受けて、受けた放射線の強さに応じた光を発する蛍光体（シンチレータ）層を基板上に形成したものである。なお、蛍光体の材料としてはＣｓＩ（ヨウ化セシウム）等が採用される。
【００２５】
光電変換部５は、光電変換素子をガラス板上に格子状に配列したもので、前記シンチレータプレート４の発光光を受光して電気信号に変換する。
【００２６】
光電変換部５から出力された電気信号は、フレキシブル回路基板である接続ケーブル８を介して、制御基板９に送られ、制御基板９は、光電変換部５から送られた電気信号を基に、撮影画像情報を生成する。
【００２７】
パネル支持板１０は、前記放射線検知パネルＰ、前記制御基板９を支持するもので、前記放射線検知パネルＰの平面性を維持するために必要な平面性と剛性を有しており、支持部材２１によって下部外装部材２に固定されている。
【００２８】
図３は、グリッド３とシンチレータプレート４の関係を説明する図である。
【００２９】
シンチレータプレート４の上面に配置されるグリッド３は、図の斜線で示す放射線吸収部材３１と、放射線透過部材３２と、カバー部材３３等から構成される。
【００３０】
放射線吸収部材３１としては鉛箔、放射線透過部材３２としてはアルミニウムや炭素繊維樹脂、カバー部材３３としてはアルミニウム等が採用される。
【００３１】
グリッド３に入射した放射線Ｒのうち、図の矢印Ｒ１のようにグリッドの放射線吸収部材３１に当たらずにシンチレータプレート４に入射した放射線は、シンチレータ４１にて蛍光Ｆを発光させる。
【００３２】
一方、矢印Ｒ２のように、放射線吸収部材３１に入射した放射線は、放射線吸収部材３１に吸収され、シンチレータプレート４に到達しない。
【００３３】
ところが、矢印Ｒ３で示す様な放射線は、放射線吸収部材３１により吸収されることなくシンチレータプレート４に到達するが、グリッド３とシンチレータプレート４の間隔ｄが大きい場合には、本来望ましい図に示す点線枠内ではなく、枠外にて蛍光Ｆを発光させる。
【００３４】
このような現象は画像のボケとなって現れることから、グリッド３とシンチレータプレート４の蛍光体との間隔Ｌはできる限り小さいことが望ましい。
【００３５】
本発明は、このグリッド３とシンチレータプレート４の間隔Ｌをできる限り小さくすることによって、画像品質の低下を防止しようとするものである。
【００３６】
図４は、グリッド３の片面に形成したシンチレータ４１を説明する図である。
【００３７】
本発明においては、先ず、グリッド３を作成し、次いで、グリッド３の一つの面を基体としてシンチレータ４１を形成する。
【００３８】
本実施の形態のグリッド３は、放射線吸収部材３１としては鉛箔、放射線透過部材３２及びカバー部材３３としてはアルミニウムを用いている。
【００３９】
グリッドのサイズ（ｈ×ｄ）、鉛箔の厚さ（ｔ１）、およびカバー部材の厚さ（ｔ２）は、例えば、ｈ＝１．２ｍｍ、ｄ＝０．１２、ｔ１＝０．０５ｍｍ、ｔ２＝０．０５ｍｍとすることができるが、これらの値は設計時に決定されるものである。
【００４０】
このように構成されたグリッド３を基体として、その片面上にシンチレータ４１を蒸着によって柱状結晶構造に形成する。
【００４１】
蒸着は、Ａｒガスが導入された０．１Ｐａ程度の真空度の蒸着装置内で、蛍光体であるＣｓＩと複数の添加剤を加熱ルツボにより加熱して、１５０℃に保持したグリッド３の片面に蒸着させるもので、公知の技術を採用することができる。
【００４２】
蒸着終了後、シンチレータ４１の表面には防湿等を目的とする保護層４２が付与され、グリッド３の片面に形成されたシンチレータプレート４が完成する。
【００４３】
以上説明したように作られたシンチレータプレート４とグリッド３との間隔Ｌは、グリッド３のカバー部材の厚さｔ２と等しくなり、グリッド３とシンチレータプレートの蛍光体との間隔Ｌが最小化される。
【００４４】
その結果、グリッド３とシンチレータプレート４との間隔Ｌが大きいことにより発生する画像ボケが減少する。
【図面の簡単な説明】
【００４５】
【図１】可搬型放射線画像撮影装置の概念図である。
【図２】可搬型放射線画像撮影装置の内部構成を説明する図である。
【図３】グリッドとシンチレータプレートの関係を説明する図である。
【図４】グリッドの片面に形成したシンチレータを説明する図である。
【符号の説明】
【００４６】
３  グリッド
４  シンチレータプレート
４１  シンチレータ（蛍光体）
Ｄ  可搬型放射線画像撮影装置
【図１】
2009063475.tif 000003
【図２】
2009063475.tif 000004
【図３】
2009063475.tif 000005
【図４】
2009063475.tif 000006